【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
粒子を処理するための微小流体デバイスであって、該デバイスが、以下：
（ａ）粒子を含む流体サンプルを導入するためのインプットメカニズム；
（ｂ）該インプットメカニズムと流体連絡している微小流体通路；
（ｃ）該微小流体通路と流体連絡している配置メカニズムであって、該配置メカニズムが、該流体サンプル中に含まれる該粒子を該微小流体通路中に配置させるための配置メカニズム；
（ｄ）配置手段により配置されている該粒子を保持するための保持メカニズム；
（ｅ）該保持メカニズム中に保持されている該粒子を選択的に処理して処理応答を生じるための、該保持メカニズムと連絡している処理メカニズム；および
（ｆ）該粒子の処理応答を、存在する場合、測定するための測定メカニズム
を備える、デバイス。
【請求項２】
請求項１に記載の微小流体デバイスであって、該デバイスが、前記粒子を前記保持メカニズムから放出するための放出メカニズムをさらに備える、デバイス。
【請求項３】
請求項２に記載の微小流体デバイスであって、該デバイスが、前記粒子を該微小流体デバイスからアウトプットするためのアウトプットメカニズムをさらに備える、デバイス。
【請求項４】
請求項２に記載の微小流体デバイスであって、該デバイスが、前記粒子を培養するための培養メカニズムをさらに備える、デバイス。
【請求項５】
請求項１に記載の微小流体デバイスであって、該デバイスが、前記サンプル流体または他の流体の流量または流路の局面を決定するためのコントロールメカニズムをさらに備える、デバイス。
【請求項６】
請求項５に記載の微小流体デバイスであって、前記コントロールメカニズムが、前記微小流体通路と連絡しているバルブである、デバイス。
【請求項７】
請求項６に記載の微小流体デバイスであって、該微小流体デバイスが、多層エラストマーブロックから形成され、前記バルブが、該エラストマーブロック中のエラストマー膜から形成される、デバイス。
【請求項８】
請求項６に記載の微小流体デバイスであって、前記コントロールメカニズムが、前記微小流体通路と連絡しているポンプである、デバイス。
【請求項９】
請求項８に記載の微小流体デバイスであって、該微小流体デバイスが、多層エラストマーブロックから形成され、前記ポンプが、該エラストマーブロック中のエラストマー膜から形成される、デバイス。
【請求項１０】
請求項１に記載の微小流体デバイスであって、該微小流体デバイスが、流体層中の前記微小流体通路中に偏向可能なエラストマー膜を有するコントロール層を有する多層エラストマーブロックを備え、該微小流体通路中の流体の流速または流路を決定する、デバイス。
【請求項１１】
請求項１に記載の微小流体デバイスであって、該微小流体デバイスが、エラストマー、ポリジメチルシロキサン、プラスチック、ポリスチレン、ポリプロピレン、ポリカーボネート、ガラス、セラミック、シリコン、ゾルゲル、金属、メタロイド、金属酸化物、生物学的ポリマー、これらの混合物、粒子、タンパク質、ゼラチン、ポリリシン、血清アルブミン、コラーゲン、核酸、および微生物からなる群から選択される物質を含む層を含む、デバイス。
【請求項１２】
請求項１に記載の微小流体デバイスであって、前記微小流体通路が、約５００マイクロメートル幅未満である、デバイス。
【請求項１３】
請求項１に記載の微小流体デバイスであって、前記微小流体通路が、連結または分岐にて該微小流体通路に結合する隣接する通路をさらに備え、該隣接する通路が、入口通路、出口通路、粒子通路、試薬通路、および廃棄物通路からなる群から選択されている、デバイス。
【請求項１４】
請求項１３に記載の微小流体デバイスであって、前記隣接する通路が、行き止まりの通路である、デバイス。
【請求項１５】
請求項１３に記載の微小流体デバイスであって、該デバイスが、前記粒子を操作する前記隣接する通路をさらに備える、デバイス。
【請求項１６】
請求項１５に記載の微小流体デバイスであって、前記粒子操作が、配置、分類、保持、処理、検出、増殖、蓄積、混合および放出の群から選択される、デバイス。
【請求項１７】
請求項１に記載の微小流体デバイスであって、前記粒子が、細胞、真核生物細胞、原核生物細胞、植物細胞、動物細胞、ハイブリドーマ細胞、細菌細胞、酵母細胞、ウイルス、オルガネラ、ビーズおよび小胞からなる群から選択される、デバイス。
【請求項１８】
請求項１７に記載の微小流体デバイスであって、前記粒子が、複数の粒子または粒子の集合体である、デバイス。
【請求項１９】
請求項１８に記載の微小流体デバイスであって、前記複数の粒子が、異なる粒子を含む複合体混合物である、デバイス。
【請求項２０】
請求項１９に記載の微小流体デバイスであって、前記異なる粒子を含む複合体混合物が、全血または血清または体液である、デバイス。
【請求項２１】
請求項１に記載の微小流体デバイスであって、前記粒子が、卵または胎芽である、デバイス。
【請求項２２】
請求項１に記載の微小流体デバイスであって、前記インプットメカニズムが、前記微小流体通路と流体連絡している、容器または壁である、デバイス。
【請求項２３】
請求項２２に記載の微小流体デバイスであって、前記インプットメカニズムが、前記微小流体通路により規定される容積よりも大きな容積を有する、デバイス。
【請求項２４】
請求項１に記載の微小流体デバイスであって、該デバイスが、前記インプットメカニズムと連絡しているまたは該インプットメカニズム上で作動している促進メカニズムをさらに備える、デバイス。
【請求項２５】
請求項２４に記載の微小流体デバイスであって、前記促進メカニズムが、重力、流体圧、遠心圧、ポンプ圧、および流体陰圧からなる群から選択される、デバイス。
【請求項２６】
請求項１に記載の微小流体デバイスであって、前記配置メカニズムが、直接配置メカニズムまたは間接配置メカニズムである、デバイス。
【請求項２７】
請求項２６に記載の微小流体デバイスであって、前記直接配置メカニズムが、光学、電気、磁気および重力からなる群から選択される力である、デバイス。
【請求項２８】
請求項２７に記載の微小流体デバイスであって、前記電気的力が、電気泳動、電気浸透、および誘電泳動からなる群から選択される、デバイス。
【請求項２９】
請求項２６に記載の微小流体デバイスであって、前記間接配置メカニズムが、縦間接配置メカニズムまたは横間接配置メカニズムである、デバイス。
【請求項３０】
請求項２９に記載の微小流体デバイスであって、前記間接配置メカニズムが、該微小流体デバイスと結合したポンプまたはバルブにより促進される、デバイス。
【請求項３１】
請求項２９に記載の微小流体デバイスであって、前記横間接配置メカニズムが、通路連結、減少した流体流の左右に配置される領域、またはチャネル屈曲での流体流により促進される、デバイス。
【請求項３２】
請求項３１に記載の微小流体デバイスであって、前記通路連結が、統合または分割している、デバイス。
【請求項３３】
請求項２９に記載の微小流体デバイスであって、前記横配置メカニズムが、層流に基づく横配置手段である、デバイス。
【請求項３４】
請求項２９に記載の微小流体デバイスであって、前記横間接配置メカニズムが、推計学的横配置メカニズムである、デバイス。
【請求項３５】
請求項３４に記載の微小流体デバイスであって、前記推計学的横配置メカニズムが、前記サンプル流体中の前記粒子の主な流れの領域から減少した流れの領域への左右の分離により、粒子の集団から該粒子を無作為に選択する、デバイス。
【請求項３６】
請求項２９に記載の微小流体デバイスであって、前記横間接配置メカニズムが、遠心力に基づく横配置メカニズムである、デバイス。
【請求項３７】
請求項１に記載の微小流体デバイスであって、前記保持メカニズムが、該微小流体デバイス中の予め選択された領域で前記粒子を選択的に保持する、デバイス。
【請求項３８】
請求項３７に記載の微小流体デバイスであって、前記保持メカニズムが、前記配置メカニズムにより引き起こされる力に打ち勝つまたは打ち消すことにより前記粒子を保持する、デバイス。
【請求項３９】
請求項１に記載の微小流体デバイスであって、前記保持メカニズムが、トラップまたは障壁に基づく保持メカニズムである、デバイス。
【請求項４０】
請求項３９に記載の微小流体デバイスであって、前記障壁に基づく保持メカニズムが、前記微小流体通路中のまたは該微小流体通路に隣接する前記粒子の縦移動を制限する、デバイス。
【請求項４１】
請求項３８に記載の微小流体デバイスであって、前記保持メカニズムが、固定してまたは一時的に、前記微小流体通路中にまたは該微小流体通路に隣接して延び、前記粒子の縦移動を制限する突起部である、デバイス。
【請求項４２】
請求項２６に記載の微小流体デバイスであって、前記直接配置メカニズムが、化学的保持メカニズムである、デバイス。
【請求項４３】
請求項４２に記載の微小流体デバイスであって、前記化学的保持メカニズムが、前記粒子と該保持メカニズムとの間の特異的な親和力に基づく、デバイス。
【請求項４４】
請求項１に記載の微小流体デバイスであって、前記処理メカニズムが、流体媒介メカニズムまたは非流体媒介メカニズムである、デバイス。
【請求項４５】
請求項１に記載の微小流体デバイスであって、前記処理メカニズムが、前記粒子を試薬または物理的条件に曝す、デバイス。
【請求項４６】
請求項４５に記載の微小流体デバイスであって、前記試薬が、化学的変調器、生物学的変調器、アゴニスト、アンタゴニスト、ホルモン、リガンド、低分子、ペプチド、タンパク質、炭水化物、脂質、レセプター、栄養素、毒素、薬物、化学物質、化合物、イオン、ポリマー、核酸、物質、複合体、混合物、集合体、色素、染料、蛍光色素、検出剤、アッセイ剤、基質、基質阻害剤、抗体、標識物質、および生物学的粒子からなる群から選択される、デバイス。
【請求項４７】
請求項４６に記載の微小流体デバイスであって、前記試薬が、前記粒子を引きつけるまたは反発する、デバイス。
【請求項４８】
請求項４５に記載の微小流体デバイスであって、前記試薬が、細胞粒子増殖を誘発または阻害する、デバイス。
【請求項４９】
請求項４５に記載の微小流体デバイスであって、前記試薬が、細胞傷害性である、デバイス。
【請求項５０】
請求項４４に記載の微小流体デバイスであって、前記流体媒介メカニズムが、流体処理をさらに備え、そして前記粒子が、該流体処理に導入される、デバイス。
【請求項５１】
請求項４４に記載の微小流体デバイスであって、前記流体媒介メカニズムが、前記配置メカニズムの機能と結合して機能する、デバイス。
【請求項５２】
請求項５１に記載の微小流体デバイスであって、前記配置メカニズムが、前記粒子を、前記流体媒介メカニズム中におよび該流体媒介メカニズム外に移動させ、該粒子の処理流体への曝露を調節する、横配置メカニズムである、デバイス。
【請求項５３】
請求項４５に記載の微小流体デバイスであって、前記物理的条件が、熱、光、放射能、亜原子粒子、電場、磁場、圧力、音波圧、重力、および微重力からなる群から選択される、デバイス。
【請求項５４】
請求項１に記載の微小流体デバイスであって、前記測定メカニズムが、前記粒子の特性または該粒子により引き起こされる特性を検出する該微小流体デバイスと結合される検出器である、デバイス。
【請求項５５】
請求項５４に記載の微小流体デバイスであって、前記検出器が、分光器、電気的センサー、流体力学的センサー、画像化システム、および光子検出器からなる群から選択される、デバイス。
【請求項５６】
請求項５４に記載の微小流体デバイスであって、前記検出器が、複数のバルブを検出する、デバイス。
【請求項５７】
請求項５４に記載の微小流体デバイスであって、前記検出器が、時間に依存しない様式、時間依存様式、および平均化様式からなる群から選択される検出様式を使用する、デバイス。
【請求項５８】
請求項５４に記載の微小流体デバイスであって、前記検出器が、吸収、ルミネセンス、光ルミネセンス、化学ルミネセンス、エレクトロルミネセンス、磁気共鳴、原子核共鳴、電子スピン共鳴、散乱、電子散乱、光散乱、中性子散乱、回折、円偏光二色性、施光度、蛍光強度、蛍光共鳴エネルギー移動、蛍光極性、蛍光寿命、全内部反射蛍光、蛍光相関分光学、光退色後の蛍光回復、蛍光活性化細胞分類および燐光性からなる群から選択される型の生じるシグナルを検出する、分光学的検出器である、デバイス。
【請求項５９】
請求項５４に記載の微小流体デバイスであって、前記検出器が、電流、電圧、抵抗、静電容量、および電力から選択されるシグナルを検出し得る、電気的検出器である、デバイス。
【請求項６０】
請求項５４に記載の微小流体デバイスであって、前記検出器は、前記粒子と流体、別の粒子または前記微小流体通路との流体力学的相互作用を検出する、流体力学的検出器である、デバイス。
【請求項６１】
請求項６０に記載の微小流体デバイスであって、前記相互作用が、クロマトグラフィー、沈殿、粘度計、電気泳動からなる群から選択される流体力学的相互作用を含んだ、デバイス。
【請求項６２】
請求項５４に記載の微小流体デバイスであって、前記検出器が、前記粒子の画像を作り出し、そして分析するための画像化検出器である、デバイス。
【請求項６３】
請求項５４に記載の微小流体デバイスであって、前記検出器が、前記粒子により生じる生物学的応答を検出する、デバイス。
【請求項６４】
請求項６３に記載の微小流体デバイスであって、前記生物学的応答が、化学走性、細胞間相互作用、老化、アポトーシス、増殖、分化、形態学的変化、ｐＨ変化、およびカルシウム摂取からなる群から選択される、デバイス。
【請求項６５】
請求項１に記載の微小流体デバイスであって、該デバイスが、検出部位をさらに備え、前記粒子または該粒子の生成物が、前記検出器により検出される、デバイス。
【請求項６６】
請求項６５に記載の微小流体デバイスであって、前記検出部位が、該微小粒体デバイス中にある、デバイス。
【請求項６７】
請求項６５に記載の微小流体デバイスであって、前記検出部位が、該微小流体デバイスに対して外部に位置される、デバイス。
【請求項６８】
請求項５４に記載の微小流体デバイスであって、前記検出器が、前記粒子の特性を直接的または間接的に検出し、該特性が、粒子固有性、粒子数、粒子濃度、組成物、構造、配列、活性、分子特性、形態学、表現型、遺伝子型、増殖、アポトーシス、壊死、溶解、生存率／死亡率、細胞周期での位置、シグナル経路の活性、分化、転写活性、基質結合、細胞−細胞相互作用、翻訳活性、複製活性、形質転換、熱ショック応答、運動性、拡散、膜完全性、化学走性、および神経突起生長からなる群から選択されている、デバイス。
【請求項６９】
請求項２に記載の微小流体デバイスであって、前記放出メカニズムが、前記保持メカニズムにより引き起こされる保持力を除去することにより作動する、デバイス。
【請求項７０】
請求項２に記載の微小流体デバイスであって、前記放出メカニズムが、前記保持メカニズムにより引き起こされる保持力に打ち勝つことにより作動する、デバイス。
【請求項７１】
請求項２に記載の微小流体デバイスであって、前記放出メカニズムが、前記保持メカニズムにより引き起こされる保持力に無力にさせることにより作動する、デバイス。
【請求項７２】
請求項２に記載の微小流体デバイスであって、前記粒子を該微小流体デバイス内または該微小流体デバイスの外部の別の領域に向ける工程をさらに包含する、デバイス。
【請求項７３】
請求項７２に記載の微小流体デバイスであって、前記別の領域が、第２の配置メカニズム、第２の検出メカニズム、第２の保持メカニズム、およびアウトプットメカニズムからなる群から選択される、デバイス。
【請求項７４】
請求項７３に記載の微小流体デバイスであって、前記第２の保持メカニズムが、細胞培養チャンバである、デバイス。
【請求項７５】
請求項３に記載の微小流体デバイスであって、該微小流体デバイスが、内部シンクおよび外部シンク、廃棄部位、収集部位、細胞増殖チャンバ、ならびに外部細胞培養プレートからなる群から選択される位置に前記粒子をアウトプットする、前記アウトプットメカニズムをさらに備える、デバイス。